(57)【要約】【課題】複数段に縦積みした場合の横ずれを防止することができる組立式容器および支持具を提供する。【解決手段】矩形状の底板部材１と、該底板部材の対向する二辺に回動自在に係合される左右一対の側板部材２Ａ、２Ｂと、底板部材の他の一辺に回動自在に係合される前板部材３と、底板部材の残る他の一辺に回動自在に係合される後板部材４と、後板部材の他の一辺と平行な辺に回動自在に係合される天板部材５と、各部材を着脱可能に係合する係合部とを備える組立式容器であって、天板部材の左右端部には、直線状のワイヤ部材Ｗ５ａ、Ｗ５ｂが配置され、各側板部材に設けられる係合部は、ワイヤ部材を左右から挟持する複数の挟持部１００ａ〜１００ｃを有し、各挟持部の上端は、挟持されたワイヤ部材の上端より上方に突出するように構成されている。【選択図】図１
0003207288.tif 000002
【実用新案登録請求の範囲】
【請求項１】
矩形状の底板部材と、
該底板部材の対向する二辺に回動自在に係合される左右一対の側板部材と、
前記底板部材の他の一辺に回動自在に係合される前板部材と、
前記底板部材の残る他の一辺に回動自在に係合される後板部材と、
該後板部材の前記他の一辺と平行な辺に回動自在に係合される天板部材と、
前記各部材を着脱可能に係合する係合部と、
を備える組立式容器であって、
前記天板部材の左右端部には、直線状のワイヤ部材が配置され、
前記各側板部材に設けられる前記係合部は、前記ワイヤ部材を左右から挟持する複数の挟持部を有し、
前記各挟持部の上端は、挟持された前記ワイヤ部材の上端より上方に突出するように構成されていることを特徴とする組立式容器。
【請求項２】
前記底板部材、前記各側板部材、前記前板部材、前記後板部材および前記天板部材は、ワイヤを格子状に組んで固着したメッシュパネルで構成されていることを特徴とする請求項１に記載の組立式容器。
【請求項３】
前記各側板部材に設けられる前記挟持部は、
前記各側板部材の内側に形成される内側挟持部と、
前記各側板部材の外側に形成される外側挟持部と、
から構成されることを特徴とする請求項１または請求項２に記載の組立式容器。
【請求項４】
請求項１から請求項３の何れか１項に記載の組立式容器に適用されて、受け側の組立式容器の上方に積み重ねられる被受け側の組立式容器を支持する支持具であって、
前記挟持部の上端に係合される係合孔と、
前記受け側の組立式容器が備える天板部材の左右端部に配置されるワイヤ部材の上面と係合する第１の係合溝と、
前記被受け側の組立式容器が備える底板部材の左右端部に配置されるワイヤ部材の下面と係合する第２の係合溝と、
を備えることを特徴とする支持具。
【請求項５】
前記第１の係合溝および前記第２の係合溝の少なくとも一方には、当該溝に係合された前記ワイヤ部材の脱落を規制するツメ部が形成されていることを特徴とする請求項４に記載の支持具。
【請求項６】
請求項１から請求項３の何れか１項に記載の組立式容器に適用されて、受け側の組立式容器の上方に積み重ねられる被受け側の組立式容器を支持する支持具であって、
前記挟持部の上端に係合される係合孔と、
前記受け側の組立式容器が備える天板部材の左右端部に配置されるワイヤ部材の上面と係合する係合溝と、
を備えることを特徴とする支持具。
【考案の詳細な説明】
【技術分野】
【０００１】
本実施の形態は、組立式容器および支持具に関する。
【背景技術】
【０００２】
従来から、容器の輸送時の体積を減らして輸送コストを低減するために、側壁等を形成するパネルを折り畳み、平板状の展開状態で輸送して提供し、ユーザが組み立てるようにした組立式容器が種々提案されている（特許文献１、２等参照）。
【先行技術文献】
【特許文献】
【０００３】
【特許文献１】実用新案登録第３１１９７９９号公報
【特許文献２】特開平６−４３０７６号公報
【考案の概要】
【考案が解決しようとする課題】
【０００４】
ところが、従来技術に係る組立式容器は、複数段に縦積みした場合に、横ずれを発生し易いという不都合があった。
【０００５】
本実施の形態は、複数段に縦積みした場合の横ずれを防止することができる組立式容器および支持具を提供する。
【課題を解決するための手段】
【０００６】
本実施の形態の一態様によれば、矩形状の底板部材と、該底板部材の対向する二辺に回動自在に係合される左右一対の側板部材と、前記底板部材の他の一辺に回動自在に係合される前板部材と、前記底板部材の残る他の一辺に回動自在に係合される後板部材と、該後板部材の前記他の一辺と平行な辺に回動自在に係合される天板部材と、前記各部材を着脱可能に係合する係合部と、を備える組立式容器であって、前記天板部材の左右端部には、直線状のワイヤ部材が配置され、前記各側板部材に設けられる前記係合部は、前記ワイヤ部材を左右から挟持する複数の挟持部を有し、前記各挟持部の上端は、挟持された前記ワイヤ部材の上端より上方に突出するように構成されていることを特徴とする組立式容器が提供される。
【０００７】
本実施の形態の他の態様によれば、受け側の組立式容器の上方に積み重ねられる被受け側の組立式容器を支持する支持具であって、挟持部の上端に係合される係合孔と、前記受け側の組立式容器が備える天板部材の左右端部に配置されるワイヤ部材の上面と係合する第１の係合溝と、前記被受け側の組立式容器が備える底板部材の左右端部に配置されるワイヤ部材の下面と係合する第２の係合溝と、を備えることを特徴とする支持具が提供される。
【考案の効果】
【０００８】
本実施の形態によれば、複数段に縦積みした場合の横ずれを防止することができる組立式容器および支持具を提供することができる。
【図面の簡単な説明】
【０００９】
【図１】第１の実施の形態に係る組立式容器を組み立てた状態を示す全体斜視図。
【図２】第１の実施の形態に係る組立式容器の天板部材を開けた状態を示す全体斜視図。
【図３】第１の実施の形態に係る組立式容器の要部を示す一部拡大図。
【図４】第１の実施の形態に係る組立式容器を展開した状態を示す平面図。
【図５】第１の実施の形態に係る組立式容器を二段重ねにした状態を示す斜視図。
【図６】第１の実施の形態に係る組立式容器を支持具を介して二段重ねにした状態を示す斜視図。
【図７】第１の実施の形態に係る組立式容器に適用される支持具の全体を示す斜視図（ａ）、支持具の全体を示す正面図（ｂ）、支持具の全体を示す側面図（ｃ）。
【図８】第１の実施の形態に係る組立式容器に適用される支持具の変形例を示す斜視図（ａ）、他の方向から観た斜視図（ｂ）。
【図９】第１の実施の形態に係る組立式容器に適用される支持具の他の変形例を示す側面図。
【図１０】第２の実施の形態に係る組立式容器を二段重ねにした状態を示す斜視図。
【図１１】第２の実施の形態に係る組立式容器に適用される支持具の全体を示す斜視図。
【図１２】第２の実施の形態に係る組立式容器に適用される支持具の全体を示す側面図（ａ）、正面図（ｂ）、平面図（ｃ）。
【図１３】第２の実施の形態に係る組立式容器に適用される支持具の全体を示す背面図（ａ）、底面図（ｂ）。
【考案を実施するための形態】
【００１０】
次に、図面を参照して、実施の形態を説明する。以下の図面の記載において、同一又は類似の部分には同一又は類似の符号を付している。
【００１１】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１２】
（第１の実施の形態）
［組立式容器の全体構成］
第１の実施の形態は、例えば、デパートやコンビニエンスストア等の店舗や家庭内において、食品や衣類等の各物品を収容する組立式容器および支持具に関するものである。
【００１３】
図１〜図５を参照して、第１の実施の形態に係る組立式容器Ｃ１の全体構成について説明する。
【００１４】
図１は、本実施の形態に係る組立式容器Ｃ１を組み立てた状態を示す全体斜視図、図２は、組立式容器Ｃ１の天板部材５を開けた状態を示す全体斜視図、図３は、組立式容器Ｃ１の要部を示す一部拡大図、図４は、組立式容器Ｃ１を展開した状態を示す平面図、図５は、組立式容器Ｃ１ａ、Ｃ１ｂを二段重ねにした状態を示す斜視図である。
【００１５】
図１、図２および図４に示すように、本実施の形態に係る組立式容器Ｃ１は、矩形状の底板部材１と、この底板部材１の対向する二辺に回動自在に係合される左右一対の側板部材２Ａ、２Ｂと、底板部材１の他の一辺に回動自在に係合される前板部材３と、底板部材１の残る他の一辺に回動自在に係合される後板部材４と、この後板部材４の前記他の一辺と平行な辺に回動自在に係合される天板部材５と、各部材１〜５を着脱可能に係合する係合部１７０等とを備えている。
【００１６】
本実施の形態では、図４等に示すように、底板部材１、各側板部材２Ａ、２Ｂ、前板部材３、後板部材４および天板部材５は、ワイヤＷ１〜Ｗ５を格子状に組んで溶接等で固着したメッシュパネルで構成されている。
【００１７】
また、底板部材１、各側板部材２Ａ、２Ｂ、前板部材３、後板部材４および天板部材５は、ワイヤの先端を曲げ加工して形成される蝶番部１９０〜１９３を介して連結されている。これにより、底板部材１、各側板部材２Ａ、２Ｂ、前板部材３、後板部材４および天板部材５は、回動自在に係合される。
【００１８】
なお、底板部材１、各側板部材２Ａ、２Ｂ、前板部材３、後板部材４および天板部材５は、メッシュパネルに限定されず、一般的な樹脂や金属製のパネルを用いてもよい。
【００１９】
また、図１等に示すように、底板部材１の下面側の四隅には、床面等に接地する脚部１５０が設けられている。
【００２０】
そして、図４に示すような組立式容器Ｃ１の展開状態から、底板部材１を床面等に載置し、各側板部材２Ａ、２Ｂ、前板部材３および後板部材４を順次回動させて係合することで図２に示すような状態となる。
【００２１】
次いで、図２に示すように、天板部材５を矢印Ｄ１方向に回動させる。
【００２２】
ここで、天板部材５の左右端部には、直線状のワイヤ部材Ｗ５ａ、Ｗ５ｂが配置され、各側板部材２Ａ、２Ｂに設けられる係合部は、ワイヤ部材Ｗ５ａ、Ｗ５ｂを左右から挟持する複数の挟持部１００ａ〜１００ｃを有している。
【００２３】
本実施の形態では、図３等に示すように、各側板部材２Ａ、２Ｂに設けられる挟持部は、各側板部材２Ａ、２Ｂの内側に形成される内側挟持部１００ａ、１００ｂと、各側板部材２Ａ、２Ｂの外側に形成される外側挟持部１００ｃとから構成されている。
【００２４】
また、内側挟持部１００ａ、１００ｂと外側挟持部１００ｃは、互い違いとなるように配置されている。なお、内側挟持部および外側挟持部の配置数は、任意の数に変更可能である。
【００２５】
これにより、図１に示すように、天板部材５を側板部材２Ａ、２Ｂに固定することができる。
【００２６】
なお、図４等に示すように、後板部材４の左右両端にも同様の構成の内側挟持部１００ａ、１００ｂと、外側挟持部１００ｃが形成され、各側板部材２Ａ、２Ｂと係合して固定するようになっている。
【００２７】
また、本実施の形態においては、図３等に示すように、組立式容器Ｃ１の全面側に位置する内側挟持部１００ｂの先端部には、天板部材５を係止する係止部１６０が形成されている。
【００２８】
さらに、図１等に示すように、各挟持部１００ａ〜１００ｃの上端は、挟持されたワイヤ部材Ｗ５ａ、Ｗ５ｂの上端より上方に突出するように構成されている。
【００２９】
即ち、ワイヤ部材Ｗ５ａ、Ｗ５ｂの高さは、ワイヤ部材Ｗ５ａ、Ｗ５ｂの直径より大きくなるように設計されている。
【００３０】
従って、図５に示すように、組立式容器（受け側の組立式容器）Ｃ１ａに、同じ形状を有する被受け側の組立式容器Ｃ１ｂを積み重ねた際に、組立式容器Ｃ１ｂの底板部材が有する端部のワイヤ部材Ｗ１ａ、Ｗ２ｂが、組立式容器Ｃ１ａの内側挟持部１００ａ、１００ｂと外側挟持部１００ｃとによって挟持される。即ち、前出の図３に示すワイヤ部材Ｗ５ａ、Ｗ５ｂの挟持状態と同様にして、ワイヤ部材Ｗ１ａ、Ｗ２ｂが挟持部１００ａ〜１００ｃによって挟持されて固定される。
【００３１】
これにより、組立式容器Ｃ１ｂが組立式容器Ｃ１ａ上で横ずれを生じる事態を回避することができる。
【００３２】
なお、図５では、組立式容器Ｃ１（Ｃ１ａ、Ｃ１ｂ）を二段重ねにする場合を示したが、これに限らず、三段以上に積み重ねる場合にも、各段の組立式容器Ｃの横ずれを抑制することができる。
【００３３】
［組立式容器に適用される支持具］
図６〜図８を参照して、本実施の形態に係る組立式容器Ｃ１に適用される支持具について説明する。
【００３４】
ここで、図６は、実施の形態に係る組立式容器Ｃ１ａ，Ｃ１ｂを支持具５００を介して二段重ねにした状態を示す斜視図、図７（ａ）は、組立式容器Ｃ１に適用される支持具５００の全体を示す斜視図、図７（ｂ）は、支持具５００の全体を示す正面図、図７（ｃ）は、支持具５００の全体を示す側面図である。
【００３５】
また、図８は、組立式容器Ｃ１に適用される変形例に係る支持具５００ａを示す側面図である。
【００３６】
図６に示すように、支持具５００は、受け側の組立式容器Ｃ１ａの上方に積み重ねられる被受け側の組立式容器Ｃ１ｂとの間に設置されて、組立式容器Ｃ１ａの上方に載置される組立式容器Ｃ１ｂを支持するものである。
【００３７】
このような支持具５００を用いることにより、受け側の組立式容器Ｃ１ａ上に、被受け側の組立式容器Ｃ１ｂをより確実に固定することができる。
【００３８】
ところで、組立式容器Ｃ１ａ、Ｃ１ｂは、図６等に示すように、底板部材１の下面側の四隅に、床面等に接地する脚部１５０が設けられている。そのため、脚部１５０の長さによっては、前出の図５に示すように支持具５００を用いずに組立式容器Ｃ１ａ、Ｃ１ｂを積み重ねた場合には、組立式容器Ｃ１ｂ側の脚部１５０が、組立式容器Ｃ１ａ側の天板部材５と干渉して十分に挟持できなかったり、或いは脚部１５０が当接する部分にキズをつける虞があった。
【００３９】
これに対して、図６に示すように、受け側の組立式容器Ｃ１ａと被受け側の組立式容器Ｃ１ｂとの間に支持具５００を設けることにより、組立式容器Ｃ１ｂ側の脚部１５０が、組立式容器Ｃ１ａ側の天板部材５と干渉することを防ぐことができ、脚部１５０が当接してキズをつける事態を回避することができる。
【００４０】
なお、本実施の形態において、支持具５００は、例えば、受け側の組立式容器Ｃ１ａの各側板部材２Ａ、２Ｂの内側に形成される内側挟持部１００ａ、１００ｂに係合されている。
【００４１】
図６、図７（ａ）〜（ｃ）および図８（ａ）、（ｂ）を参照して、支持具５００、５００ａの具体例について説明する。
【００４２】
図７に示すように、支持具５００本体の略中央には、挟持部１００（１００ａ〜１００ｃ）の上端と係合する係合孔５０１が設けられている。なお、係合孔５０１の形状は、挟持部１００の形状に合わせて適宜変更される。
【００４３】
また、係合孔５０１の近傍には、受け側の組立式容器Ｃ１ａ（図６参照）が備える天板部材５の左右端部に配置されるワイヤ部材Ｗ５ａ、Ｗ５ｂの上面と係合する第１の係合溝５０２と、被受け側の組立式容器Ｃ１ｂ（図６参照）が備える底板部材１の左右端部に配置されるワイヤ部材Ｗ１ａ、Ｗ１ｂの下面と係合する第２の係合溝５０３とが形成されている。
【００４４】
なお、支持具５００の下部には、天板部材５の左右端部に配置されるワイヤ部材Ｗ５ａ、Ｗ５ｂとの干渉を避ける溝を設けるようにしてもよい。
【００４５】
支持具５００は、樹脂により一体的に形成することができる。
【００４６】
そして、図６に示す例では、支持具５００は、受け側の組立式容器Ｃ１ａの各側板部材２Ａ、２Ｂの内側に形成される内側挟持部１００ａ、１００ｂに係合孔５０１を介して係合される。
【００４７】
なお、内側挟持部１００ａ、１００ｂに加えて、外側挟持部１００ｃにも支持具５００を取付けるようにしてもよい。
【００４８】
また、内側挟持部１００ａ、１００ｂに代えて、外側挟持部１００ｃに支持具５００を取付けるようにしてもよい。
【００４９】
これにより、支持具５００によって、受け側の組立式容器Ｃ１ａ上に、被受け側の組立式容器Ｃ１ｂをより確実に固定することができ、横ずれを防止することができる。
【００５０】
また、受け側の組立式容器Ｃ１ａと被受け側の組立式容器Ｃ１ｂとの間に支持具５００を設けることにより、組立式容器Ｃ１ｂ側の脚部１５０が、組立式容器Ｃ１ａ側の天板部材５と干渉することを防いで、脚部１５０が当接してキズをつける事態を回避することができる。
【００５１】
図８には、組立式容器Ｃに適用される変形例に係る支持具５００ａを示す。
【００５２】
支持具５００ａでは、第１の係合溝６０２および第２の係合溝６０３に、これらの溝に係合されたワイヤ部材Ｗ５ａ、Ｗ５ｂ、Ｗ１ａ、Ｗ１ｂの脱落を規制するツメ部６０２ａおよび６０３ａが形成されている。
【００５３】
これにより、図６に示すように、受け側の組立式容器Ｃ１ａと被受け側の組立式容器Ｃ１ｂとの間に支持具５００ａを設けることで、ワイヤ部材Ｗ５ａ、Ｗ５ｂ、Ｗ１ａ、Ｗ１ｂの脱落を防止することができ、受け側の組立式容器Ｃ１ａ上に、被受け側の組立式容器Ｃ１ｂをより確実に固定することができる。
【００５４】
（第２の実施の形態）
図１０〜図１３を参照して、第２の実施の形態に係る組立式容器Ｃ２（Ｃ２ａ、Ｃ２ｂ）の全体構成および支持具７００について説明する。
【００５５】
なお、第２の実施の形態に係る組立式容器Ｃ２の構成は、第１の実施の形態に係る組立式容器Ｃ１の構成と略同一である。両者はディテールにおいて、若干の相違はあるが、本発明には直接関係しないので説明は割愛する。
【００５６】
第１の実施の形態に係る組立式容器Ｃ１と、第２の実施の形態に係る組立式容器Ｃ２との大きな相違点は、組立式容器Ｃ２ａ、Ｃ２ｂの保持に、支持具５００、５００ａに代えて、支持具７００を用いている点である。
【００５７】
図１０に示すように、支持具７００は、受け側の組立式容器Ｃ２ａの上方に積み重ねられる被受け側の組立式容器Ｃ２ｂとの間に設置されて、組立式容器Ｃ２ａの上方に載置される組立式容器Ｃ２ｂを支持するものである。
【００５８】
このような支持具７００を用いることにより、受け側の組立式容器Ｃ２ａ上に、被受け側の組立式容器Ｃ２ｂをより確実に固定することができる。
【００５９】
ここで、組立式容器Ｃ２ａ、Ｃ２ｂは、図１、図１０等に示すように、底板部材１の下面側の四隅に、床面等に接地する脚部１５０が設けられている。そのため、脚部１５０の長さによっては、支持具７００を用いずに組立式容器Ｃ２ａ、Ｃ２ｂを積み重ねた場合には、組立式容器Ｃ２ｂ側の脚部１５０が、組立式容器Ｃ２ａ側の天板部材５と干渉して十分に挟持できなかったり、或いは脚部１５０が当接する部分にキズをつける虞があった。
【００６０】
これに対して、図１０に示すように、受け側の組立式容器Ｃ２ａと被受け側の組立式容器Ｃ２ｂとの間に支持具７００を設けることにより、組立式容器Ｃ２ｂ側の脚部１５０が、組立式容器Ｃ２ａ側の天板部材５と干渉することを防ぐことができ、脚部１５０が当接してキズをつける事態を回避することができる。
【００６１】
なお、本実施の形態において、支持具７００は、例えば、受け側の組立式容器Ｃ２ａの各側板部材２Ａ、２Ｂの内側に形成される内側挟持部１００ａ、１００ｂに係合されている。
【００６２】
次に、図１１〜図１３等を参照して、本実施の形態に係る組立式容器Ｃ２に適用される支持具７００について説明する。
【００６３】
ここで、図１１は、第２の実施の形態に係る組立式容器Ｃ２に適用される支持具７００の全体を示す斜視図、図１２（ａ）は、支持具７００の全体を示す側面図、図１２（ｂ）は、その正面図）、図１２（ｃ）は平面図である。また、図１３（ａ）は、支持具７００の全体を示す背面図、図１３（ｂ）は底面図である。
【００６４】
図１１に示すように、支持具７００本体の略中央には、挟持部１００（１００ａ〜１００ｃ）の上端と係合する係合孔７０１が設けられている。
【００６５】
係合孔７０１の上方端部には、起立壁７０４、７０５が設けられ、起立壁７０４、７０５間には、ワイヤ部材Ｗ１ａを挟持する係合溝７０２が形成されている。
【００６６】
また、起立壁７０４、７０５の上端部の内側には、係合溝７０２に挟持されたワイヤ部材Ｗ１ａの抜けを防止する突起７０６がそれぞれ形成されている。
【００６７】
なお、係合孔７０１の形状は、挟持部１００の形状に合わせて適宜変更される。
【００６８】
支持具７００は、樹脂により一体的に形成することができる。
【００６９】
そして、図１０に示す例では、支持具７００は、受け側の組立式容器Ｃ２ａの各側板部材２Ａ、２Ｂの内側に形成される内側挟持部１００ａ、１００ｂに係合孔７０１を介して係合される。
【００７０】
なお、内側挟持部１００ａ、１００ｂに加えて、外側挟持部１００ｃにも支持具７００を取付けるようにしてもよい。
【００７１】
また、内側挟持部１００ａ、１００ｂに代えて、外側挟持部１００ｃに支持具７００を取付けるようにしてもよい。
【００７２】
これにより、支持具７００によって、受け側の組立式容器Ｃ２ａ上に、被受け側の組立式容器Ｃ２ｂをより確実に固定することができ、横ずれを防止することができる。
【００７３】
また、受け側の組立式容器Ｃ２ａと被受け側の組立式容器Ｃ２ｂとの間に支持具７００を設けることにより、組立式容器Ｃ２ｂ側の脚部１５０が、組立式容器Ｃ２ａ側の天板部材５と干渉することを防いで、脚部１５０が当接してキズをつける事態を回避することができる。
【００７４】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【００７５】
このように、本実施の形態はここでは記載していない様々な実施の形態などを含む。
【産業上の利用可能性】
【００７６】
本実施の形態の組立式容器は、デパートやコンビニエンスストア等の店舗や家庭内において、食品、衣類等の各種物品の収容に適用できる。
【符号の説明】
【００７７】
Ｃ１（Ｃ１ａ、Ｃ１ｂ）、Ｃ２（Ｃ２ａ、Ｃ２ｂ）…組立式容器
１…底板部材
２Ａ、２Ｂ…側板部材
３…前板部材
４…後板部材
５…天板部材
Ｗ１ａ、Ｗ１ｂ、Ｗ５ａ、Ｗ５ｂ…ワイヤ部材
１００ａ、１００ｂ…内側挟持部
１００ｃ…外側挟持部
１５０…脚部
５００、５００ａ、７００…支持具
５０１、７０１…係合孔
５０２、６０２…第１の係合溝
５０３、６０３…第２の係合溝
７０２…係合溝
６０２ａ、６０３ａ…ツメ部
【図１】
0003207288.tif 000003
【図２】
0003207288.tif 000004
【図３】
0003207288.tif 000005
【図４】
0003207288.tif 000006
【図５】
0003207288.tif 000007
【図６】
0003207288.tif 000008
【図７】
0003207288.tif 000009
【図８】
0003207288.tif 000010
【図９】
0003207288.tif 000011
【図１０】
0003207288.tif 000012
【図１１】
0003207288.tif 000013
【図１２】
0003207288.tif 000014
【図１３】
0003207288.tif 000015